(57)【要約】【課題】第１の屋根板を閉塞するときに、各屋根板の間に指先を挿入可能な隙間を確保し、第１の屋根板の閉塞作業を迅速且つ容易に行えるようにすること。【解決手段】本体１１に開閉可能に支持された後屋根板１３と、この後屋根板１３の前端部１３Ａに突き合う後端部１４Ａを有する前屋根板１４とを備えてグランドピアノ１０が構成されている。各屋根板１３，１４を閉塞した状態で、前端部１３Ａと後端部１４Ａとの間に微小な隙間Ｓが生じる一方、後屋根板１３の初期開放動作させると、前屋根板１４が隙間Ｓの拡大方向に移動し、当該隙間Ｓが拡大した状態を維持する。【選択図】      図４
2004252125.tif 000002
【特許請求の範囲】
【請求項１】
鍵盤楽器の本体に開閉可能に軸支された第１の屋根板と、この第１の屋根板の閉塞位置で当該第１の屋根板の端部に突き合う端部を有する第２の屋根板とを備え、
前記第２の屋根板は、第１の屋根板を閉塞した状態で、前記端部間に微小な隙間が生じる初期位置に規制される一方、前記第１の屋根板の初期開放動作で所定角度開放したときに、前記端部間隙間を拡大する方向に移動して当該隙間を拡大した状態を維持することを特徴とする鍵盤楽器の屋根構造。
【請求項２】
前記第１及び第２の屋根板の何れか一方に、各屋根板の突き合せ端部間を離間させる方向に付勢する付勢手段を設け、この付勢手段を介して前記第１または第２の屋根板を初期開放動作したときに、もう一方の屋根板が前記拡大方向に移動することを特徴とする請求項１記載の鍵盤楽器の屋根構造。
【請求項３】
前記第１及び第２の屋根板の間に設けられて第１の屋根板の閉塞位置で当該第１の屋根板と第２の屋根板とを相互に係合させる係合手段を更に含み、この係合手段が所定の係合状態にあるときに、前記付勢手段の付勢力に抗して前記各屋根板の端部突き合せ状態を保つことを特徴とする請求項２記載の鍵盤楽器の屋根構造。
【発明の詳細な説明】
【０００１】
【発明の属する技術分野】
本発明は、鍵盤楽器、特にグランドピアノ型鍵盤楽器の屋根構造に係り、更に詳しくは、第１の屋根板を閉塞するときに、第１及び第２の屋根板の間に指先を挿入できる隙間を確保して、第１の屋根板の閉塞作業を容易に行うことができる鍵盤楽器の屋根構造に関する。
【０００２】
【従来の技術】
従来より知られているグランドピアノ型の鍵盤楽器としては、ピアノ本体の上部に開閉可能にヒンジ連結された後屋根板及びこれに隣接する前屋根板を備えたものが広く利用されるに至っている。このような前後の屋根板にあっては、相互に連結されることなく、それぞれ独立して開閉できるタイプのものが存在し、各屋根板の閉塞状態で、後屋根板と前屋根板との間の隙間を極めて小さく設定する構成が基本となる。
【０００３】
【発明が解決しようとする課題】
しかしながら、このような屋根板にあっては、前記隙間が小さく設定されているため、開放した後屋根板を閉塞するときに、各屋根板の間に指を挟む恐怖感を与えるという不都合を生じる。しかも、後屋根板の閉塞時に、後屋根板の突き合せ端部（前屋根板側端部）を指で掴むと、当該指が邪魔になって後屋根板をピアノ本体上に載せるように閉塞することができなくなる。このため、後屋根板がピアノ本体に載る直前状態で、後屋根板から手を放して落下させ、ピアノ本体に衝撃を与えてしまったり、後屋根板の突き合せ端部から自由端に持ち直す煩雑さがあるという不都合も招来する。
【０００４】
ここで、指先が挿入できるように前記隙間の幅を予め設定すれば、前述した不都合を回避できるが、この場合、ピアノ全体のデザイン性を損なうばかりでなく、ピアノ本体内に埃が入り易くなったり、筆記具等が落下してしまうという別異の不都合を招来する。
【０００５】
【発明の目的】
本発明は、このような不都合に着目して案出されたものであり、その目的は、第１及び第２の屋根板の突き合せ端部間の隙間を極力小さくすることができ、且つ、第１の屋根板の閉塞時に、第１及び第２の屋根板の間に指先を挿入できる隙間を確保して第１の屋根板を容易且つ迅速に閉塞することのできる鍵盤楽器の屋根構造を提供することにある。
【０００６】
【課題を解決するための手段】
前記目的を達成するため、本発明は、鍵盤楽器の本体に開閉可能に軸支された第１の屋根板と、この第１の屋根板の閉塞位置で当該第１の屋根板の端部に突き合う端部を有する第２の屋根板とを備え、
前記第２の屋根板は、第１の屋根板を閉塞した状態で、前記端部間に微小な隙間が生じる初期位置に規制される一方、前記第１の屋根板の初期開放動作で所定角度開放したときに、前記端部間隙間を拡大する方向に移動して当該隙間を拡大した状態を維持する、という構成を採っている。このような構成によれば、第１の屋根板の初期開放動作に伴って各屋根板の端部間隙間が拡大するので、第１の屋根板を閉塞するときに、各屋根板の間に指先が挟まれてしまうことのないスペースが確保されることとなる。これにより、第１の屋根板を本体上に載せるまで、第１の屋根板における第２の屋根板側の端部を持ちながら閉塞作業を行うことができ、閉塞時における後屋根板の落下を回避することが可能となり、また、第１の屋根板を持つ位置を変更する必要性も解消することができる。
【０００７】
【発明の実施の形態】
本発明において、前記第１及び第２の屋根板の何れか一方に、各屋根板の突き合せ端部間を離間させる方向に付勢する付勢手段を設け、この付勢手段を介して前記第１または第２の屋根板を初期開放動作したときに、もう一方の屋根板が前記拡大方向に移動する、という構成を採ることができる。この際、前記第１及び第２の屋根板の間に設けられて第１の屋根板の閉塞位置で当該第１の屋根板と第２の屋根板とを相互に係合させる係合手段を更に含み、この係合手段が所定の係合状態にあるときに、前記付勢手段の付勢力に抗して前記各屋根板の端部突き合せ状態を保つ、という構成を採用することが好ましい。このような構成を採れば、第１の屋根板が閉塞位置にあるときに、これらの突き合せ端部間の隙間が微小となる初期位置に安定的に維持することができる。しかも、第１の屋根板を開放して係合手段を非係合状態とすると、付勢手段により第２の屋根板が第１の屋根板から離れる方向に付勢され、前記端部間隙間が維持できなくなることを防止することが可能となる。
【０００８】
なお、本明細書において、「前」は、特に明記しない限り、本体の鍵盤側すなわち図３中右側について用いられ、「後」は、その反対側について用いられる。また、「左右」とは、本体の鍵盤側を手前側にして見た場合を基準として用いられる。更に、「鍵盤楽器」、「グランドピアノ型鍵盤楽器」とは、屋根板が開閉されるピアノや鍵盤楽器について総称するものであって、同様の外形を備えた電子ピアノも含む概念として用いる。
【０００９】
【実施例】
以下、本発明の実施例を図面を参照しながら説明する。
【００１０】
図１には、実施例に係るグランドピアノ型鍵盤楽器の全体構成図が示され、図２には、屋根板を閉塞したグランドピアノ型鍵盤楽器の平面図が示されている。これらの図において、グランドピアノ型鍵盤楽器１０は、上部側を開放する形状に設けられるとともに、内部に所定のアクション機構等を有する本体１１と、この本体１１の上部一端側に沿う二箇所位置に設けられたヒンジ１２，１２を介して本体１１に軸支されているとともに、本体１１の開放側（上部側）を開閉可能に設けられた第１の屋根板としての後屋根板１３と、この後屋根板１３の手前側に隣接する位置に設けられた第２の屋根板としての前屋根板１４と、この前屋根板１４の図２中左右方向中央部における下面側に位置するスライダ１６と、前屋根板１４の同図中左右両側にそれぞれ設けられた一対の付勢手段１７，１７と、各屋根板１３，１４間において各付勢手段１７の近傍位置にそれぞれ設けられた一対の係合手段１８，１８と備えて構成されている。
【００１１】
前記本体１１は、鍵盤１１Ａの上方に位置する前板１１Ｂと、この前板１１Ｂの左右両側に位置するとともに、後方に向かって延びる右側板１１Ｃ及び左側板１１Ｄと、これら右側板１１Ｃ及び左側板１１Ｄの後端間に連なるとともに、後方に膨らむ湾曲形状を備えた後板１１Ｅとを備えて構成されている。右側板１１Ｃ及び左側板１１Ｄの間には、これらの内面間に掛け渡された横棧部材２０が設けられている。また、前板１１Ｂの内面（図３中左面）と横棧部材２０との間であって、当該横棧部材２０の左右両側及び中央部には、板状をなす連結部材２１がそれぞれねじ止め固定されている。
【００１２】
前記後屋根板１３及び前屋根板１４は、これらを閉塞した初期位置すなわち略水平となる閉塞位置で隙間Ｓを介して配置されている。すなわち、前記後屋根板１３の前端部１３Ａと前屋根板１４の後端部１４Ａとが相互に突き合う位置に設けられている。前記隙間Ｓは、常時は、後屋根板１３の開閉時に各端部１３Ａ，１４Ａが接触せず、また、本体１１内に埃等が入りにくいよう微小な幅に設定されている。
【００１３】
前記スライダ１６は、前屋根板１４の前後方向の移動、すなわち、隙間Ｓを拡大及び縮小する方向の移動を許容しつつ、左右方向の移動を規制可能に設けられている。具体的には、スライダ１６は、前屋根板１４の左右方向（図３中紙面直交方向）中央部における下面側に取り付けられて前後方向に延びるとともに、下部開放形状を有する上レール２２と、前記連結部材２１上に位置するとともに、上レール２２に左右両側から受容される下レール２３とにより構成されている。なお、上レール２２と下レール２３との接触面は、これらの間の摩擦抵抗を極力少なくする適宜な処理等が施され、前述した前後移動をスムースに行えるようになっている。
【００１４】
前記各付勢手段１７は、図４に示されるように、前後方向に沿って延びるコイルばね２５により構成されている。このコイルばね２５は、その後端側（左端側）が前屋根板１４の後部下面側から垂下するピン２６に支持されている一方、前端側（右端側）が連結部材２１の前板１１Ｂ寄り上面側から起立するピン２７に支持されている。コイルばね２５は、前屋根板１４を図４に示される初期位置、すなわち後屋根板１３が閉塞して前端部１３Ａが前屋根板１４の後端部１４Ａに隙間Ｓを介して突き合う位置にセットしたときに、軸方向長さを伸長して前屋根板１４を前方に付勢するようになっている。
【００１５】
前記各係合手段１８は、後屋根板１３の前端部１３Ａ下面側に取り付けられたフック２９と、前屋根板１４の下面後端部１４Ａ側にスペーサ３０を介して取り付けられるとともに、フック２９に係合可能な受け部材３１とを備えて構成されている。
【００１６】
前記フック２９は、後屋根板１３の下面にねじ止めされる平面部２９Ａと、この平面部２９Ａに連なって斜め後下方向に向けられた傾斜面部２９Ｂと、この傾斜面部２９Ｂに連なって側面視略Ｕ字状に形成された屈曲面部２９Ｃとを備え、当該屈曲面部２９Ｃが上下動するように弾性変形可能に設けられている。
【００１７】
前記受け部材３１は、前後方向に沿って延びる片部材により構成され、後部領域にフック２９の屈曲面部２９Ｃを受容する長穴３１Ａを備えている。長穴３１Ａは、前後方向に延びるとともに、後部内周縁３１Ｂが屈曲面部２９Ｃに係合可能に設けられている。また、長穴３１Ａ内には、連結部材２１の前後方向中央部から起立する軸部材３３が挿入され、当該軸部材３３と長穴３１Ａとにより、前屋根板１４における前後方向の移動量を規制するようになっている。
【００１８】
なお、図１中、符号３５は、本体１１の内周面側に回動可能に支持された突上棒であり、符号３６は、後屋根板１３に取り付けられた受け皿３６である。突上棒３５の先端を受け皿３６内に受容させることにより、後屋根板１４を所定の開放位置に保つことができるようになっている。
【００１９】
以上の構成において、後屋根板１３を閉塞した状態から開放する場合、後屋根板１３の自由端側を掴んで持ち上げればよい。この際、図５中二点鎖線で示されるように、後屋根板１３を若干持ち上げた初期開放動作で、フック２９の屈曲面部２９Ｃが長穴３１Ａから抜け出し、コイルばね２５の付勢力により、前屋根板１４が前記隙間Ｓを拡大する方向すなわち前方向に移動する。そして、受け部材３１の後部内周縁３１Ｂが軸部材３３に当接した時点で前屋根板１４の移動が終わる。この移動後、コイルばね２５は、前屋根板１４の後方への移動を規制し、隙間Ｓが拡大した状態を維持できるようになっている。
【００２０】
次いで、突上棒３５の先端側を対応する受け皿３６内に受容させることにより、後屋根板１３の開放姿勢が保持される。
【００２１】
この一方、後屋根板１３を閉塞する場合、突上棒３５を倒伏して本体１１内に収容した後、後屋根板１３を本体１１上に乗せるように閉じる。このとき、隙間Ｓは、図５に示されるような拡大した状態が維持されているので、後屋根板１３の前端部１３Ａ側を手で持ちながら当該後屋根板１３の終期閉塞動作を行うことができる。そして、コイルばね２５の付勢力に抗して前屋根板１４を後方に押し込んで移動させることにより、フック２９の屈曲面部２９Ｃと長穴３１Ａの後部内周縁３１Ｂが係合状態となる。この状態で、係合手段１８は、コイルばね２５の付勢力に抗して前屋根板１４を初期位置に規制し、各屋根板１３，１４の端部突き合せ状態を保って隙間Ｓを図４に示される微小な幅に維持するようになっている。
【００２２】
従って、このような実施例によれば、後屋根板１３を初期開放動作させたときに、コイルばね２５の付勢力により前屋根板１４を隙間Ｓの拡大方向に自動的に移動させることができる。しかも、前記付勢力により、前屋根板１４が隙間Ｓを拡大した位置に維持されるので、前端部１３Ａと後端部１４Ａとの間に指先を挿入できる隙間Ｓが保たれた状態で、後屋根板１３の閉塞作業を行うことが可能となる。
【００２３】
本発明を実施するための最良の構成、方法などは、以上の記載で開示されているが、本発明は、これに限定されるものではない。
すなわち、本発明は、主に特定の実施例に関して特に図示し、且つ、説明されているが、本発明の技術的思想及び目的の範囲から逸脱することなく、以上に述べた実施の形態に対し、形状、数量、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２４】
例えば、係合手段１８は、前述したフック２９及び受け部材３１と同等の機能を発揮する磁石を各屋根板１３，１４にそれぞれ設ける構成としてもよい。
【００２５】
また、本発明は、付勢手段１７及び係合手段１８を電動式の構成に代替することもできる。このような電動式の構成としては、後屋根板１３の位置を検出する第１のセンサと、前屋根板１４の位置を検出する第２のセンサと、これらセンサの出力に応じて前屋根板１４を前後方向に移動させる駆動手段とを備えた構成を例示できる。
このような構成において、後屋根板１３を初期開放動作させると、当該動作を第１のセンサが検出し、駆動手段を介して隙間Ｓを拡大する方向に前屋根板１４を移動させる。そして、各端部１３Ａ，１４Ａ間に指先を挿入できる位置すなわち隙間Ｓを拡大した位置まで前屋根板１４が移動すると、第２のセンサが前屋根板１４の位置を検出し、駆動手段を介して前屋根板１４の移動を停止させる。ここで、後屋根板１３の開放姿勢が保たれた状態で、隙間Ｓを縮小する方向すなわち後方に前屋根板１４に移動させると、これを第２のセンサが検出し、駆動手段により前屋根板１４を前記拡大位置に復帰させる。従って、後屋根板１３を閉塞しない限り、前記隙間Ｓを拡大した状態に保つことができるようになっている。なお、前屋根板１４を前記拡大方向に移動させる確実性を高めるため、前記実施例で用いたコイルばね２５を併用してもよい。
また、駆動手段としては、モータやシリンダ、フィードスクリュー等を例示できる。
【００２６】
更に、付勢手段１７は、種々の設計変更が可能であり、例えば、コイルばね２５に代えてゴムや板ばねを用いたり、付勢手段１７を後屋根板１３に取り付けて前屋根板１４に付勢力を付与する構成も採ることができる。
【００２７】
また、前記付勢手段１７や係合手段１８は、例えば、各屋根板１３，１４の左右方向中央部に一箇所だけそれぞれ設けてもよい。つまり、付勢手段１７や係合手段１８の配置位置及び設置数は、前述した実施例と同等の作用を奏する限りにおいて、適宜設計変更可能である。
【００２８】
【発明の効果】
以上説明したように、本発明は、第１の屋根板を初期開放動作したときに、第２の屋根板を移動し、第１及び第２の屋根板の突き合せ端部間の隙間が拡大した状態に維持されるので、第１の屋根板の突き合せ端部を持ちながら当該第１の屋根板を迅速且つ容易に閉塞することができる。しかも、各屋根板が閉塞した状態では、前記隙間を微小な幅に保つことができ、隙間から本体内に埃が入ったり、筆記具が落下することを防止することが可能となる。
【図面の簡単な説明】
【図１】実施例に係るグランドピアノ型鍵盤楽器の概略斜視図。
【図２】第１及び第２の屋根板を閉塞したグランドピアノ型鍵盤楽器の平面図。
【図３】図２のＡ−Ａ線矢視拡大断面図。
【図４】（Ａ）は、図２のＢ−Ｂ線矢視拡大断面図、（Ｂ）は、係合手段の概略斜視図。
【図５】係合手段の係合状態を解除した状態を示す図４と同様の断面図。
【符号の説明】
１０・・・グランドピアノ型鍵盤楽器、１１・・・本体、１３・・・後屋根板（第１の屋根板）、１３Ａ・・・前端部、１４・・・前屋根板（第２の屋根板）、１４Ａ・・・後端部、１７・・・付勢手段、１８・・・係合手段
【図１】
2004252125.tif 000003
【図２】
2004252125.tif 000004
【図３】
2004252125.tif 000005
【図４】
2004252125.tif 000006
【図５】
2004252125.tif 000007